(57)【要約】  器具（１４）は、使用者の毛髪に接触して配置されることが意図される絶縁シート（２０）を備え、絶縁シート（２０）は、カーラー（１２）の周りに巻き付けられるように可撓性であり、絶縁シート（２０）は、クロロプレンゴムを含む少なくとも１つの絶縁層（２４）を含む。
2017500950.tif 000002
【特許請求の範囲】
【請求項１】
使用者の毛髪に関するウェーブ形成のための器具（１４）であって、
前記使用者の毛髪に接触して配置されることが意図される絶縁シート（２０）を含み、
前記絶縁シート（２０）は、カーラー（１２）の周りに巻き付けられるように可撓性であり、
前記絶縁シート（２０）は、クロロプレンゴムを含む少なくとも１つの絶縁層（２４）を含む、器具（１４）。
【請求項２】
前記絶縁層（２４）の厚さは、５ｍｍよりも薄く、好ましくは３ｍｍよりも薄く、および有利には、０．１ｍｍから０．５ｍｍの間に含まれる、請求項１に記載の器具（１４）。
【請求項３】
前記絶縁シート（２０）は、前記絶縁層（２４）の内側表面に取り付けられた内側防水層（２６）を含む、請求項１または２に記載の器具（１４）。
【請求項４】
前記内側防水層（２６）は、前記絶縁層（２４）の内側表面の一部のみを覆う、請求項３に記載の器具（１４）。
【請求項５】
前記内側防水層（２６）は、シリコーンポリマー層である、請求項３または４に記載の器具（１４）。
【請求項６】
前記絶縁層（２４）に接して組み立てられた外側強化層（２８）を含む、請求項１から５のいずれか一項に記載の器具（１４）。
【請求項７】
前記外側強化層（２８）は、布製、有利には、織布層、編物層、または不織布層である、請求項６に記載の器具（１４）。
【請求項８】
前記絶縁シート（２０）は、スリット（３４）を区切る絶縁本体（３０）と、前記本体（３０）から突出するストリップ（３２）と、を含み、前記ストリップ（３２）は、カーラー（１２）の周りに巻かれ得る、請求項１から７のいずれか一項に記載の器具（１４）。
【請求項９】
前記ストリップ（３２）は、前記本体（３０）の端から突出する、請求項８に記載の器具（１４）。
【請求項１０】
前記ストリップ（３２）は、前記スリット（３４）の脇から突出する、請求項８に記載の器具（１４）。
【請求項１１】
前記ストリップ（３２）は、前記ストリップ（３２）が前記スリット（３４）から離れているカーラー（１２）導入位置と、前記ストリップ（３２）が前記スリット（３４）内に少なくとも部分的に挿入されたカーラー（１２）巻き付け位置と、の間を移動可能である、請求項８から１０のいずれか一項に記載の器具（１４）。
【請求項１２】
−  カーラー（１２）と、
−  請求項１から１１のいずれか一項に記載の器具（１４）と、
を含む、ウェーブ形成キット（１０；５０）。
【請求項１３】
前記カーラー（１２）は、カール用本体（３０）と、前記カール用本体（３０）の中に受け入れられた加熱用部材（１８）と、を含む、請求項１２に記載のキット（１０；５０）。
【請求項１４】
使用者の毛髪に関するウェーブ形成のための方法であって、以下のステップ、
−  請求項１２または１３に記載のキット（１０；５０）を提供するステップと、
−  カーラー（１２）および毛髪の房を前記絶縁シート（２０）の上に配置するステップと、
−  前記カーラー（１２）および前記毛髪の房の周りに前記絶縁シート（２０）の少なくとも一部を巻いて、前記カーラー（１２）に巻き付けるステップと、
−  前記カーラー（１２）の周りにストリップ（３２）の一部を係止するステップと、
を含む、方法。
【請求項１５】
前記絶縁シート（２０）はスリット（３４）を区切り、前記方法は、以下のステップ、
−  前記スリット（３４）の中を通って毛髪の房を挿入するステップと、
−  前記毛髪の房の周りに前記カーラー（１２）を配置するステップと、
−  前記スリット（３４）内に前記絶縁シート（２０）の前記一部の自由端を係合させるステップと、
を含む、請求項１４に記載の方法。
【発明の詳細な説明】
【技術分野】
【０００１】
本発明は、使用者の毛髪に接触して配置されることが意図される、絶縁シートを含む、使用者の毛髪に関するウェーブ形成のための器具に関する。
【背景技術】
【０００２】
使用者の毛髪に関するウェーブ形成のための現在のパーマ技術は、以下の２つのステップを含む。
【０００３】
まず、毛髪ケラチンにおけるシスチン結合を切断するために、還元剤を用いて、還元ステップが実行され、および続いて、還元されたケラチンにおける前記結合を回復するために、酸化剤を用いて、酸化ステップが行われる。
【０００４】
通常、還元ステップの間に、還元剤が、パーマカーラーに毛髪を巻き付けた後、適用される。還元剤は、典型的には、液体、ジェル、または低粘度のクリームであり、したがって、適用している間に、頭皮に容易に滴る。
【０００５】
このことは、顧客の不快感および頭皮の炎症の原因となる。さらに、そのような頭皮の不快感は、毛髪の着色を同日に実施することを困難にする。
【０００６】
いくつかの例において、毛髪の房を巻くために使用されるカーラーは、還元ステップにおいて使用される還元剤の効果を増進させるために、加熱される。還元剤の量は、これに応じて低減され得、これは使用者にとって潜在的な不快感を制限する。
【０００７】
加熱されたカーラーの使用は、しかしながら、十分に満足のいくものではない。実際に、カーラーは、皮膚の敏感な部分である頭皮の近くに熱を発生させる。
【０００８】
加熱は、使用者にとって、時折不愉快であり、および苦痛ですらあり得る。
【０００９】
この欠点を克服するために、特開２００５−３４８９６５号公報は、中央スリットを備える絶縁シートを提供する。処理されるべき毛髪の房はスリットの中を通って係合され、および絶縁シートは頭皮に適用される。シートは、カーラーによって発生させられる熱に対する遮蔽を提供する。
【００１０】
しかしながら、締め具と協調してカーラーおよび毛髪の房を取り囲むための絶縁シートの取り扱いは、所定の位置に置くのが複雑である。
【００１１】
さらに、器具は非常に重く、これもまた、使用者にとって不快であり得る。
【先行技術文献】
【特許文献】
【００１２】
【特許文献１】特開２００５−３４８９６５号公報
【発明の概要】
【発明が解決しようとする課題】
【００１３】
本発明の１つの目的は、使用者の毛髪に関するウェーブ形成のための器具を得ることであり、前記器具は、取り扱いが容易であり、および使用者を保護するのによく適合しており、およびこれは、使用者の毛髪に関して強く均一なカール効果を提供する。
【課題を解決するための手段】
【００１４】
この目的のために、本発明は、上記のタイプの器具に関し、ここで、絶縁シートは、カーラーの周りに巻き付けられるように可撓性であり、絶縁シートは、クロロプレンゴムを含む少なくとも１つの絶縁層を含む。
【００１５】
本発明による器具は、分離して取り入れられる、または任意の適当な技術的な組合せによる、１つまたは複数の以下の特徴を含んでいてもよい。
−  絶縁層の厚さは、５ｍｍより薄く、好ましくは３ｍｍより薄く、および有利には、０．１ｍｍから０．５ｍｍの間に含まれる。
−  絶縁シートは、絶縁層の内側表面に取り付けられた内側防水層を含む。
−  内側防水層は、絶縁層の内側表面の一部のみを覆う。
−  内側防水層は、シリコーンポリマー層である。
−  それは、絶縁層に接して組み立てられた外側強化層を含む。
−  外側強化層は、布製、有利には、織物層、編物層、または不織布層である。
−  絶縁シートは、スリットを区切る絶縁本体と、本体から突出するストリップと、を含み、ストリップは、カーラーの周りに巻かれ得る。
−  ストリップは、本体の端から突出する。
−  ストリップは、スリットの脇から突出する。
−  ストリップは、ストリップがスリットから離れたカーラー導入位置と、ストリップがスリット内に少なくとも部分的に挿入されたカーラー巻き付け位置と、の間を移動可能である。
【００１６】
本発明は、また、
−  カーラー、
−  上記のような器具、
を含むウェーブ形成キットに関する。
【００１７】
本発明によるキットは、以下の特徴を含んでいてもよい。
−  カーラーは、カール用本体と、カール用本体の中に受け入れられた加熱用部材と、を含む。
【００１８】
本発明は、また、以下のステップを含む、使用者の毛髪に関するウェーブ形成のための方法に関する。
−  上記に従うキットを提供するステップ。
−  カーラーおよび毛髪の房を、絶縁シートの上に配置するステップ。
−  カーラーおよび毛髪の房の周りに絶縁シートの少なくとも一部を巻いて、カーラーに巻き付けるステップ。
−  カーラーの周りにストリップの一部を係止するステップ。
【００１９】
本発明による方法は、以下の特徴を含んでいてもよい。
−  絶縁シートは、スリットを区切り、方法は、以下のステップを含む。
−  スリットの中を通って毛髪の房を挿入するステップ。
−  毛髪の房の周りにカーラーを配置するステップ。
−  スリット内に絶縁シートの一部の自由端を係合させるステップ。
【００２０】
本発明は、以下の図面を考慮して、もっぱら例として与えられた以下の説明を読むと、よりよく理解されるであろう。
【図面の簡単な説明】
【００２１】
【図１】本発明によるウェーブ形成のための第１の器具の正面内部図である。
【図２】線ＩＩ−ＩＩに沿った図１の器具の断面図である。
【図３】図１の器具の背面図である。
【図４】図１の器具を含むウェーブ形成キットを使用するウェーブ形成方法の連続的ステップを開示する図である。
【図５】図１の器具を含むウェーブ形成キットを使用するウェーブ形成方法の連続的ステップを開示する図である。
【図６】図１の器具を含むウェーブ形成キットを使用するウェーブ形成方法の連続的ステップを開示する図である。
【図７】本発明による第２の器具の斜視正面図である。
【図８】図７の器具の背面図である。
【図９】本発明による第２の器具を含むキットを使用するウェーブ形成方法の連続的ステップを例示する図である。
【図１０】本発明による第２の器具を含むキットを使用するウェーブ形成方法の連続的ステップを例示する図である。
【図１１】本発明による第２の器具を含むキットを使用するウェーブ形成方法の連続的ステップを例示する図である。
【図１２】本発明による第２の器具を含むキットを使用するウェーブ形成方法の連続的ステップを例示する図である。
【発明を実施するための形態】
【００２２】
使用者の毛髪に関してウェーブを形成することが意図される第１のウェーブ形成キット１０は、図１から図６に例示される。
【００２３】
キット１０は、使用者の毛髪の房に対してパーマ化粧品を適用して、毛髪に関してウェーブを形成することが意図される。
【００２４】
これらの図面に示されるように、キット１０は、ウェーブ形成のための、カーラー１２および補助器具１４を含む。器具１４は、カーラー１２と器具１４との間に毛髪の房をパーマ化粧品組成物と共に閉じ込めるように構成される。
【００２５】
パーマ化粧品組成物は、一般に、毛髪ケラチンにおけるシスチン結合を切断するための毛髪再成形剤を含む。毛髪再成形剤は、たとえば、チオール還元剤および非チオール還元剤の中から選択される。
【００２６】
チオール還元剤は、好ましくは、チオグリコール酸およびその誘導体、特に、グリセロールまたはグリコールモノチオグリコレートのような、そのエステル類と、チオ乳酸およびその誘導体、特に、グリセロールモノチオラクテートのような、そのエステル類と、３−メルカプトプロピオン酸およびその誘導体、特に、グリセロール３−メルカプトプロピオネートおよびエチレングリコール３−メルカプトプロピオネートのような、そのエステル類と、システアミンおよびその誘導体、特に、Ｎ−アセチルシステアミンおよびＮ−プロピオニルシステアミンのようなそのＣＭアシル誘導体と、モノチオグリセロールおよびその誘導体、特に、エステル類と、システインおよびその誘導体、特に、Ｎ−アセチルシステイン、Ｎ−アルカノイルシステイン、およびシステインアルキルエステル類のようなエステル類と、それらの塩類と、からなる群から選択されてもよい。
【００２７】
ここで「非チオール還元剤」は、チオール基を持たない還元剤を意味する。非チオール還元剤は、好ましくは、サルファイト類、ビサルファイト類、スルフィナート類、ホスフィン類、糖類、レダクトン類、および水素化物類からなる群から選択されてもよい。より好ましくは、非チオール還元剤は、アンモニウムサルファイト類およびアンモニウムビサルファイト類、ならびに金属サルファイト類および金属ビサルファイト類、より好ましくは、アルカリ金属またはアルカリ土類金属のサルファイト類およびビサルファイト類、およびより好ましくは、亜硫酸ナトリウム類および重亜硫酸ナトリウム類から選ばれてもよい。
【００２８】
変形例において、化粧品組成物は、還元されたケラチンにおける結合を回復するための酸化剤を含む。酸化剤は、たとえば、過酸化水素、アルカリ金属臭素酸塩類、フェリシアン化物過酸化塩類、および加水分解によって過酸化水素を生成し得る化合物の中から選択される。
【００２９】
たとえば、酸化剤は、過酸化水素水溶液、過酸化尿素、アルカリ金属臭素酸塩類および過ホウ酸塩類および過硫酸塩類のような過酸基塩類から選択され得る。好ましい形態において、酸化剤は、過酸化水素およびアルカリ金属臭素酸塩類のような臭素酸塩類から選択されてもよい。
【００３０】
図４に示されるように、カーラー１２は、ロッド１６と、有利には、ロッド１６内に配置された加熱用部材１８と、を含む。
【００３１】
ロッド１６は、中空または中実である。ロッド１６は、毛髪の房がその上に与えられおよび巻かれる、軸Ａ−Ａ’周りの回転の外周面を画定する。
【００３２】
加熱用部材１８は、ロッド１６の外側表面および毛髪の房を加熱するために、特に、化粧品と毛髪との間の相互作用を増進させるために、活性化され得る。
【００３３】
図１から図３に示されるように、器具１４は、カーラー１２および使用者の毛髪の周りに少なくとも部分的に巻かれ得る絶縁シート２０と、シートを巻かれた構成に維持し得る係止組立品２２と、を含む。
【００３４】
絶縁シート２０の総内側面積は、たとえば、１０ｃｍ２より広く、および１５０ｃｍ２より狭い。
【００３５】
本発明によると、図２に示されるように、絶縁シート２０は、少なくとも中央絶縁層２４を含む。絶縁シート２０は、有利には、絶縁層２４の内側表面に積層された内側防水層２６と、絶縁層２４の外側表面に積層された外側強化層２８と、を含む。絶縁シート２０は、また、外側強化層２８の外側表面に積層された付加的な絶縁層２９をさらに含む。
【００３６】
変形例において、絶縁シート２０は、内側防水層がなく、中央絶縁層２４と、外側強化層２８と、付加的な絶縁層２９と、を含む。
【００３７】
絶縁層２４は、ネオプレン（商標）とも名付けられた、クロロプレンゴム製である。クロロプレンゴムすなわちネオプレン（商標）は、重合によって生成される合成ゴムである。それは、一般に、以下の化学組成、−［ＣＨ２−Ｃ（Ｃｌ）＝ＣＨ−ＣＨ２］ｎ−を有する。
【００３８】
クロロプレンゴムは、通例、２−クロロブタジエンのフリーラジカル重合によって生成される。有利には、クロロプレンポリマーは、次いで、二官能性求核剤、金属酸化物（たとえば、酸化亜鉛）、およびチオウレアーゼのような架橋剤によって、架橋される。
【００３９】
クロロプレンゴム層の厚さは、５ｍｍよりも薄く、好ましくは３ｍｍよりも薄く、および有利には、０．１ｍｍから０．５ｍｍの間に含まれる。
【００４０】
クロロプレンゴム層は、触れることによって、たとえば、大人の人間の２本の指の間につまむことによって変形させられるように可撓性である。
【００４１】
クロロプレンゴム層は、軽量である。それは、有利には１．５ｇ／ｃｍ３未満の密度を有し、および優先的には、１．２ｇ／ｃｍ３から１．３ｇ／ｃｍ３の間に含まれる。
【００４２】
その弾性率は、０．０１Ｍｐａよりも大きく、および１ＭＰａから２０ＭＰａまでの間に含まれていてもよく、およびその圧縮率は、３０ショアＡから１００ショアＡまでの間に含まれる。弾性率およびショア圧縮率は、ＩＳＯ８６８規格およびＩＳＯ７６１９規格により測定される。
【００４３】
内側防水層２６は、絶縁層２４の内側表面に積層される。図１から図６に示される例において、それは、単に、絶縁層２４の外側表面を部分的に覆う。
【００４４】
内側防水層２６は、たとえば、シリコーンポリマー製である。シリコーンポリマーは、湿度保持効果、防水効果、および耐熱効果を提供する。
【００４５】
内側防水層２６は、また、触れることによって、たとえば、大人の人間の２本の指の間につまむことによって変形させられるように可撓性である。
【００４６】
内側防水層の厚さは、１ｍｍ未満であり、および、また、０．１ｍｍから０．５ｍｍの間に含まれる。
【００４７】
内側防水層２６は、絶縁シート２０とカーラー１２との間に位置する化粧品を、使用者の毛髪に関するその適用に有利に働くように、閉じ込め得る。
【００４８】
外側強化層２８は、有利には、布製、特に、織布、編物、または不織布のような繊維布である。
【００４９】
その厚さは、１ｍｍよりも薄く、および有利には、０．１ｍｍから０．５ｍｍの間に含まれる。
【００５０】
外側強化層２８は、絶縁層２４よりも高い強度を有する。この、より高い強度は、より高いヤング率によって特徴付けられる。
【００５１】
付加的な絶縁層２９は、有利には、ネオプレン（商標）とも名付けられた、クロロプレンゴム製である。それは、有利には、絶縁層２４と同一の特徴を有する。
【００５２】
図１の例において、絶縁シート２０は、使用者の頭皮に対して直接的に適用されることが意図される平坦な絶縁基部３０と、カーラー１２および使用者の毛髪の周りに巻かれることが意図されるストリップ３２と、を含む。
【００５３】
平坦な絶縁基部３０は、たとえば、軸Ｂ−Ｂ’に沿って細長い形状を有する。細長い形状は、たとえば、多角形、例を挙げると、長方形または長円形である。
【００５４】
延長軸Ｂ−Ｂ’に沿って取られたその長さは、その厚さよりも大きい。それは、たとえば、９ｃｍから１５ｃｍまでの間に含まれる。
【００５５】
平坦な絶縁基部３０は、使用者の毛髪の係合のための中央スリット３４を画定する。スリット３４は、有利には、延長軸Ｂ−Ｂ’に沿って延びる。
【００５６】
スリット３４は、基部３０を通って延び、および絶縁シート２０の内側表面および外側表面に開く。
【００５７】
基部３０は、また、側方端３７を画定する。
【００５８】
内側防水層２６は、単に、基部３０において絶縁層２４の外側表面を部分的に覆う。内側防水層２６は、中央スリット３４からある距離を置いて、スリット３４の１つの側で、途切れる。
【００５９】
変形例において、内側防水層２６は、平坦な絶縁基部３０において、絶縁層２０を覆わない。絶縁層２４は、したがって、平坦な絶縁基部３０の外側表面を画定する。
【００６０】
平坦な絶縁基部３０の外側表面は、熱および化粧品に対して頭皮を遮蔽するために、使用者の頭皮に関して適用され得る。
【００６１】
基部３０における絶縁層２４の厚さは、有利には、ストリップ３２においてよりも厚い。
【００６２】
ストリップ３２は、平坦な絶縁基部３０から突き出る。
【００６３】
図１から図３の例において、ストリップ３２は、平坦な絶縁基部３０の側方端３６から自由端３８まで延びる。この例において、ストリップ３２は、平坦な絶縁基部３０の側方端３６で、その自由端３８での幅よりも大きな幅を持つ、台形の外側輪郭を有する。
【００６４】
内側防水層２６は、巻かれるストリップ３２において、自由端３８の近くに位置する側方領域４０を除き、クロロプレンゴム層２４を実質的に覆う。
【００６５】
ストリップ３２は、たとえば図４に示される、カーラー１２の導入のための構成と、図５および図６に示される、カーラー１２の、丸めた巻き付け構成と、の間を、使用者によって手で移動させられ得る。
【００６６】
図１に示される導入の構成は、ストリップ３２の静止構成である。この構成において、ストリップ３２は、平坦な絶縁基部３０と実質的に同一の平面に広がる。絶縁シート２０は、実質的に平坦である。ストリップ３２の自由端３８は、基部３０から離れて位置する。
【００６７】
この構成において、カーラー１２は、図４に示されるように、ストリップ３２の内側防水層２６の上に配置され得る。
【００６８】
図５の丸めた巻き付け構成において、ストリップ３２の自由端は、カーラー１２および使用者の毛髪を取り巻くロール４２を形成するために、平坦な絶縁基部３０に向かって方向を変えられている。自由端３８と基部との間の距離は、平坦な構成におけるよりも小さい。
【００６９】
係止組立品２２は、ストリップ３２の側方端３６上に延びる係止部材４４を含む。係止部材４４は、スリット３４内でのストリップ３２の動きを防止するために、スリット３４の端部と協調可能である。この例において、係止部材４４は、スリット３４の長手方向軸と好ましくは平行に延びる線状の切り込みで形成されている。
【００７０】
係止部材４４は、基部３０からの距離が次第に遠くなるように互いに離れて位置付けられている。
【００７１】
スリット３４内で係合される特定の係止部材４４に応じて、ロールの直径および／またはカーラー１２に加えられる張力は、使用者によって調整され得る。
【００７２】
使用者の毛髪に関してウェーブを形成するための方法について、これから説明する。
【００７３】
方法は、まず、本発明による器具１４の提供を含む。
【００７４】
図４に示されるように、絶縁シート２０の基部３０の外側表面は、使用者の頭皮に対するその平坦な挿入構成に配置される。毛髪の房は、基部３０の外側表面からスリット３４内に係合されて、基部３０の内側表面を越えて突き出る。
【００７５】
毛髪の房は、次いで、カーラー１２の周りに巻かれる。毛髪の房を帯同するカーラー１２は、基部３０の内側表面と接触して配置される。
【００７６】
パーマ化粧品が、毛髪の房に適用される。
【００７７】
使用者は、次いで、ストリップ３２の自由端３８を基部に向かって移動させ、およびストリップ３２をカーラー１２の周りに巻く。使用者は、次いで、ストリップ３２の自由端３８を、基部３０の内側表面から外側表面３２まで、スリット３４内に導入する。使用者は、次いで、閉じ込めの程度、および毛髪の房を帯同するカーラー１２に加えられる張力を調整するために、係止部材４４の選択された組における適切な位置にストリップ３２を係止する。
【００７８】
使用者は、次いで、所定の時間にわたって、カーラー１２の外側表面、毛髪の房、および毛髪に適用される化粧品を加熱するために、加熱用部材を活性化させる。
【００７９】
所定の時間の後、ストリップ３２の自由端３８は解放され、およびカーラー１２は取り除かれる。
【００８０】
クロロプレンゴムを用いたことで、基部３０の絶縁層２４は、カーラー１２によって発生させられる熱から使用者の頭皮を非常に効率的に防護する。
【００８１】
さらに、ストリップ３２内に位置する絶縁層２４は、カーラー１２によって発生させられた熱をカーラー１２とストリップ３２との間の中間空間の内部に効率的に閉じ込めて、化粧品と毛髪との間の相互作用の効率を増大させる。
【００８２】
内側防水層２６は、絶縁シート２０のさらなる再使用のために、容易におよび効率的に洗浄され得る。金属を全く含んでいない本発明の絶縁シート２０を用いると、金属製のハードウエアの部品による錆は、発生しない。それは、また、絶縁層２４による熱絶縁に寄与する。
【００８３】
外側強化層２８は、絶縁シート２０の耐久性および強度を増大させる。それはまた、器具１４の美観を向上させる様々な色に装飾され得る。
【００８４】
したがって、本発明による器具１４のおかげで、毛髪に製品の負荷をそれほど掛けずに、パーマネントウェーブを発現させるために使用者の毛髪に関してパーマ化粧品を適用することは、容易かつ簡便である。ウェーブ性能は改善され、および製品は使用が容易である。
【００８５】
器具１４は軽量であり、これは、パーマ工程の間の使用者の快適さを改善する。
【００８６】
本発明による第２のキット５０は、図７から図１２に開示される。
【００８７】
ストリップ３２が、平坦な絶縁基部３０の側方端３６からではなく、中央スリット３４の端から直接的に突き出る点で、キット５０は、キット１０と異なる。
【００８８】
ストリップ３２は、その自由端３８に沿って、スリット３４内への自由端３８の挿入を促進させるための固定された形状５２をさらに含む。
【００８９】
キット５０を使用するウェーブ形成の方法は、図９から図１２に開示される。図４から図６に開示される第１の方法との違いとして、毛髪の房５４は、まず、カーラー１２（図９参照）の周りに巻かれる。次いで、カーラー１２およびカーラー１２の周りに巻かれた毛髪の房５４は、平坦な絶縁基部３０の外側面から平坦な絶縁基部３０の内側面まで、スリット３４内で係合される（図１０参照）。
【００９０】
カーラー１２は、次いで、図１１に示されるように、ストリップ３２の内側面の上に配置される。ストリップ３２は、基部３０と接触して自由端３８を配置するために、カーラー１２の周りに巻き付けられる。自由端３８は、続いて、中央スリット３４内に挿入されて、好ましくは、固定された形状５２の助けを借りて、ストリップ３２をその巻き付け構成に係止する。
【００９１】
カーラー１２の上に巻かれた毛髪の房５４は、次いで、巻かれたストリップ３２によって形成されたロール４２と、カーラー１２の外側表面と、の間に、化粧品と共に、閉じ込められる。
【００９２】
本発明による第２のキット５０を使用するウェーブ性能試験の例は、Ｔａｂｌｅ  １（表１）に示されるタイプの毛髪再成形剤を用いて、９０°Ｃで１５分の加熱工程を用いて、実施された。
【００９３】
Ｔａｂｌｅ  ２（表２）に示されるタイプの酸化剤は、次いで、５分間にわたって適用された。
【００９４】
【表１】
2017500950.tif 000003
【００９５】
【表２】
2017500950.tif 000004
【００９６】
還元剤および酸化剤は、室温で原料を攪拌することによって調製された。
【００９７】
特開２００５−３４８９６５号公報に開示されるような先行技術のデバイスと比較して、Ｔａｂｌｅ  ３（表３）に報告される以下の結果が得られた。
【００９８】
【表３】
2017500950.tif 000005
【００９９】
＋＋：対照を超える非常に良い性能
＋：対照を超える良い性能
【０１００】
本発明による第２のキット５０の使用は、毛髪に関して形成されたパーマネントウェーブの一般的な特徴を、驚くほどに改善し、および房の先端に強いカールを有するデジタルパーマのように見えるウェーブを作る。
【符号の説明】
【０１０１】
１０  第１のウェーブ形成キット
１２  カーラー
１４  補助器具
１８  加熱用部材
２０  絶縁シート、絶縁層
２２  係止組立品
２４  中央絶縁層
２６  内側防水層
２８  外側強化層
２９  付加的な絶縁層
３０  絶縁基部
３４  中央スリット
３８  自由端
４０  側方領域
４４  係止部材
５０  第２のキット
【図１】
2017500950.tif 000006
【図２】
2017500950.tif 000007
【図３】
2017500950.tif 000008
【図４】
2017500950.tif 000009
【図５】
2017500950.tif 000010
【図６】
2017500950.tif 000011
【図７】
2017500950.tif 000012
【図８】
2017500950.tif 000013
【図９】
2017500950.tif 000014
【図１０】
2017500950.tif 000015
【図１１】
2017500950.tif 000016
【図１２】
2017500950.tif 000017
【国際調査報告】
2017500950.tif 000018
2017500950.tif 000019